(57)【要約】【課題】開閉扉の横幅が大きく、重量が重くなっても、スムーズな開閉を行うことができるショーケースを提供すること。【解決手段】開閉扉９を開閉して陳列室２内に陳列した物品を顧客に面した側から出し入れ可能としたショーケースにおいて、開閉扉９の左右両側縁の背面に沿って設けられたラックギア２１と、各ラックギア２１に噛み合わされた左右の歯車２２，２２と、両歯車２２，２２を同期回転するように同軸に連結してケース本体に支持された連結ロッド２３と、を備えたスライド同調機構２０を設けた。よって、開閉扉９を開閉スライドさせる時には、常に、左右が均等にスムーズに開閉する。【選択図】      図８
2005027812.tif 000002
【特許請求の範囲】
【請求項１】
物品を収容する陳列室を囲んで形成されたケース本体と、
このケース本体に設けられ前記陳列室を外部に開口する開口部と、
前記ケース本体との間に設けられたスライド支持手段によりケース本体に対して前後に、斜め上下にまたは上下にスライド可能に支持され、このスライドに基づいて前記開口部を開閉する開閉扉と、
を備え、前記開閉扉を開閉して陳列室内に陳列した物品を顧客に面した側から出し入れ可能としたショーケースにおいて、
前記開閉扉の左右両側縁の背面に沿って設けられたラックギアと、
各ラックギアに噛み合わされた左右の歯車と、
両歯車を同期回転するように同軸に連結して前記ケース本体に支持された連結ロッドと、
を備えたスライド同調機構を設けたことを特徴とするショーケース。
【発明の詳細な説明】
【０００１】
【発明の属する技術分野】
本発明は、開閉可能な扉を有したショーケースに関する。
【０００２】
【従来の技術】
従来、ショーケースとして、ガラス扉がケース本体にスライド可能に支持され、前記ガラス扉をスライドさせる扉開閉機構が設けられ、この扉開閉機構が、ガラス扉の中央後端に固定されたねじ部材と、このねじ部材に螺合された駆動棒と、この駆動棒に回転力を与えるモータとを備え、モータを正逆回転させると駆動棒が正逆回転し、ガラス扉が開方向および閉方向にスライドするよう構成されたものが知られている（例えば、特許文献１参照）。
【特許文献１】
特開平５−２３７０２３号公報（図４および詳細な説明段落番号００１２〜００１４）
【０００３】
【発明が解決しようとする課題】
上述のようなショーケースにあっては、陳列品の鮮度を守るために保温性を確保することが重要であり、また、陳列品が顧客からよく見えるようにするために開閉扉の透明性を確保することが重要である。
上述のような保温性および透明性を確保するためには、開閉扉を二重ガラスで構成するのが望ましい。
また、顧客自らが陳列品を手にとって選択する上では、陳列室の開口部を覆う開閉扉の横幅は大きい方がよいので、開閉扉は横幅を大きくして二重ガラスで構成するのが望ましい。
しかしながら、開閉扉の横幅を大きくして二重ガラスで構成すると、その重量が増加するとともに開閉扉の左右両側端が離れているため、摺動抵抗が増加するとともに開閉時に左右両側端の移動量に差が生じ易く、がたつきが生じ、開閉をスムーズに行うことが難しくなるという問題があった。
具体的には、上述の特許文献１に記載された技術を横幅が大きな重量の重い開閉扉に適用した場合、開閉扉の中央に駆動力を入力するため、横幅の大きい開閉扉の左右両側縁の摺動抵抗に差が生じると、左右の移動量を均等に保つのが難しく、開閉扉の左右にがたつきが生じてスムーズにスライドさせることができないおそれがある。
【０００４】
本発明は、上述の従来の問題点に着目して成されたもので、開閉扉の横幅が大きく、重量が重くなっても、スムーズな開閉を行うことができるショーケースを提供することを目的としている。
【０００５】
【課題を解決するための手段】
上述の目的を達成するため、本発明は、
物品を収容する陳列室を囲んで形成されたケース本体と、
このケース本体に設けられ前記陳列室を外部に開口する開口部と、
前記ケース本体との間に設けられたスライド支持手段によりケース本体に対して前後に、斜め上下にまたは上下にスライド可能に支持され、このスライドに基づいて前記開口部を開閉する開閉扉と、
を備え、前記開閉扉を開閉して陳列室内に陳列した物品を顧客に面した側から出し入れ可能としたショーケースにおいて、
前記開閉扉の左右両側縁の背面に沿って設けられたラックギアと、各ラックギアに噛み合わされた左右の歯車と、両歯車を同期回転するように同軸に連結して前記ケース本体に支持された連結ロッドと、を備えたスライド同調機構を設けた手段とした。
【０００６】
【発明の作用および効果】
本発明のショーケースでは、開閉扉をスライドさせたときには、スライド同調機構にあっては、開閉扉と共に開閉扉の左右両側縁のラックギアがケース本体に対して移動するとともに、これらラックギアに噛み合う歯車が回転する。両歯車は連結ロッドにより連結されていて同期して回転するため、この歯車に噛み合うラックギアも同調して均等に移動する。よって、開閉扉は、常に、左右両側が均等にスライドする。
したがって、開閉扉が、横幅が大きく、重量を有してスライド抵抗が大きな構成であっても、開閉扉の左右両側が常に均等に移動し、開閉扉はがたつくことなくスムーズにスライドする。
また、本発明では、連結ロッドに駆動力を与えると、左右の歯車が回転して開閉扉を開閉させることができるものであり、自動化あるいは補助駆動化を図るのが容易であり、汎用性に優れる。
【０００７】
【発明の実施の形態】
以下に、本発明の実施の形態を図面に基づいて説明する。
（実施の形態１）
図１〜図１０は実施の形態１のショーケースを示している。
図１は実施の形態１のショーケースを示す正面図、図２は実施の形態１のショーケースを示す平面図、図３は実施の形態１のショーケースを示す背面図、図４は実施の形態１のショーケースを示す側方から見た縦断面図、図５は実施の形態１のショーケースの枠体を示す斜視図、図６は実施の形態１のショーケースの枠体の要部を示す斜視図、図７は実施の形態１のショーケースの開閉扉を示す側面図、図８は実施の形態１のショーケースのスライド同調機構を示す正面から見た縦断面図、図９は実施の形態１のショーケースのスライド支持手段を示す正面から見た縦断面図、図１０は実施の形態１のショーケースの駆動機構を示す側方から見た縦断面である。
【０００８】
実施の形態１のショーケースは、図１〜図４に示すように、略直方体を成す基台１の上に、商品を陳列する陳列室２を形成するケース本体３を設けることで構成されている。なお、前記基台１には、前記陳列室２を冷却する冷却装置（図示省略）が格納されている。
前記ケース本体３は、前記基台１に図５に示す枠体３０を固定し、前記陳列室２を囲んで、前記枠体３０の周囲に左右一対の前壁４，４、左側壁５、右側壁６、左右一対の後壁７，７、左右一対の固定蓋８，８、左右一対の横幅の大きな開閉扉９，９を取り付けることで形成されている。なお、実施の形態１を説明するにあたり、図２において矢印ＦＲ方向をショーケース内の商品を顧客に展示する正面すなわち前方とし、また、矢印ＬＳ方向を左、矢印ＲＳ方向を右、矢印ＲＲ方向を販売員が配置される背面すなわち後方と表現することにする。
【０００９】
前記ケース本体３の構成を説明するにあたり、まず、図５により前記枠体３０について説明すると、この枠体３０は、上下方向に立設されて前記基台１に固定される３本の左柱枠３１ａ、中央柱枠３１ｂ、右柱枠３１ｃと、各柱枠３１ａ，３１ｂ，３１ｃの上端部を連結した上枠３２と、各柱枠３１ａ，３１ｂ，３１ｃの中間部を連結した後下段枠３３ａ，３３ｂと、前記陳列室２の前および左右を囲んで略コの字形状を成して前記左右柱枠３１ａ，３１ｃに連結された下枠３４と、各柱枠３１ａ，３１ｂ，３１ｃの上端部と下枠３４とを連結して前後方向に延びる左支持枠３５ａ、中央支持枠３５ｂ、右支持枠３５ｃとを備えている。
さらに、前記各支持枠３５ａ，３５ｂ，３５ｃの後部には、それぞれ後述するケース部３６ａ，３６ｂ，３６ｃが設けられ、各ケース部３６ａ，３６ｂ，３６ｃの間に、前側ケース連結枠３７ａ，３７ｂと、後側ケース連結枠３８ａ，３８ｂが掛け渡されている。
【００１０】
前記一対の前壁４，４は、それぞれ前記下枠３４と各支持枠３５ａ，３５ｂ，３５ｃの前端部により支持された高断熱かつ透明の二重ガラスにより構成されている。
前記左側壁５および右側壁６は、前記下枠３４と左右支持枠３５ａ，３５ｃと、柱枠３１ａ，３１ｃとにより周囲を支持された高断熱かつ透明の二重ガラスにより構成されている。
各後壁７，７は、前記上枠３２と各柱枠３１ａ，３１ｂ，３１ｃと後下段枠３３ａ，３３ｂに囲まれて支持されている。また、各後壁７の下半分には、販売員用の後開口部（図示省略）が設けられ、各後開口部は、それぞれ左右にスライド可能に支持された一対の後扉７１，７１により開閉可能となっている。なお、各後扉７１は、陳列室２側が鏡面で後方からは透けて見えるいわゆるマジックミラー式の二重ガラスにより構成され、高断熱に形成されている。
前記一対の固定蓋８，８は、それぞれ左支持枠３５ａと中央支持枠３５ｂの間、および中央支持枠３５ｂと右支持枠３５ｃの間において、陳列室２の後半分の上方を覆って設けられ、それぞれ高断熱かつ透明の二重ガラスにより形成されている。なお、この固定蓋８は、図４に示すように、上方に僅かに膨らんだ湾曲形状に形成されている。
また、固定蓋８の上方には、商品などを載置できる一対の棚板１０，１０が固定されている。これらの棚板１０は、透明の樹脂あるいはガラスにより形成されている。
さらに、各固定蓋８の前方には、顧客が前記陳列室２の陳列品を出し入れする左右一対の横幅の大きな上側開口部１５が設けられ、この上側開口部１５が横幅の大きな前記開閉扉９により開閉可能に覆われている。
【００１１】
次に、前記開閉扉９の詳細について説明する。
前記開閉扉９は、図７および図８に示すように二重ガラス９１と、この二重ガラス９１の左右側縁および後縁を囲む枠体９２と、前記二重ガラス９１の前端縁を塞ぐパッキン９３とを備えている。前記枠体９２は、図７の断面図に示すように開閉扉９の後縁に設けられた後枠９２ａと、図８の断面図に示すように開閉扉９の左右側縁に設けられた側枠９２ｂとを有している。
前記後枠９２ａは、略四角柱形状に形成され、二重ガラス９１の後端面に当接されている。
また、前記側枠９２ｂは、前記二重ガラス９１の左右外側に配置される縦枠９２ｃと、この縦枠９２ｃの中間部から二重ガラス９１の下面方向に突出されて二重ガラス９１の左右両側縁の下面を支持する支持片９２ｄとにより、略Ｔ字断面形状に形成されている。
【００１２】
次に、前記開閉扉９を前後にスライド可能に支持するスライド支持手段１１について説明する。
前記スライド支持手段１１は、前記各支持枠３５ａ，３５ｂ，３５ｃに固定されたレールフレーム１２と、このレールフレーム１２に沿って移動するスライダ１３および後側ローラ１４により構成されている。
前記レールフレーム１２は、断面が略正方形形状の押出材により形成され、図５に示すように、左支持枠３５ａの右側面と、中央支持枠３５ｂの左右側面（左側面のものは図面に現れない）と、右支持枠３５ｃの左側面（図面に現れない）とに前後方向の全長に亘って設けられている。なお、前記レールフレーム１２は、図５および図６に示すように、中間位置（固定蓋８の前端の僅かに前方位置）において一部が切り欠かれて切欠部１２ｃが設けられている。
前記スライダ１３は、図７および図９（ｂ）に示すように、前記開閉扉９の前部の左右に設けられ、前記切欠部１２ｃよりも前方のレールフレーム１２をスライドするもので、このスライダ１３は、前記側枠９２ｂの下端部に固定されたケース１３ａと、このケース１３ａに上下に離されて配置されて前記レールフレーム１２の上面に沿って転動する上側ローラ１３ｂおよび前記レールフレーム１２の下面に沿って転動する下側ローラ１３ｃとを備えている。
また、前記後側ローラ１４は、図７および図９（ａ）に示すように、前記開閉扉９の後端の左右に設けられて、前記切欠部１２ｃよりも後方のレールフレーム１２をスライドするもので、前記後枠９２ａの左右両端部に固定されたブラケット１４ｂにおいて左右に離れて対向する支持片１４ｃ，１４ｃの間に回転自在に支持され、かつ、前記後側ローラ１４は、前記レールフレーム１２の上面を転動するよう配置されている。
したがって、前記開閉扉９は、上側ローラ１３ｂおよび後側ローラ１４を介してその重量が各レールフレーム１２に支持された状態でレールフレーム１２に沿って前後にスライド可能に前記ケース本体３の枠体３０に支持されている。また、前記スライダ１３において、上側ローラ１３ｂおよび下側ローラ１３ｃによりレールフレーム１２の上下を挟むことで、開閉扉９の前部がレールフレーム１２に対して上下するのが規制される。
【００１３】
次に、前記開閉扉９がスライドするときに左右を同調してスライドさせるスライド同調機構２０について説明する。
前記スライド同調機構２０は、各開閉扉９の左右端縁部の下面に取り付けられた左右一対のラックギア２１，２１と、左右一対のラックギア２１，２１にそれぞれ噛み合った左右一対の歯車２２，２２と、左右の一対の歯車２２，２２を連結した連結ロッド２３とを備えている。
【００１４】
前記ラックギア２１は、図８に示すように、前記側枠９２ｂの支持片９２ｄの下面に、支持ケース２１ａを介して支持片９２ｄから左右方向にはみ出さないようにして固定されており、図７に示すように、前記スライダ１３と後側ローラ１４との間のほぼ全長に亘って前後方向に設けられている。
【００１５】
前記歯車２２は、前記ラックギア２１に噛み合った状態で、各支持枠３５ａ，３５ｂ，３５ｃの後部に設けられたケース部３６ａ，３６ｂ，３６ｃに収容されている。すなわち、前記ケース部３６ａ，３６ｂ，３６ｃは、図６および図８に示すように、各支持枠３５ａ，３５ｂ，３５ｃから側板３６ｄを左右方向に離して配置し、この側板３６ｄと各支持枠３５ａ，３５ｂ，３５ｃの間の下面を下面カバー３６ｆで覆って形成されている。
また、各側板３６ｄの前端部には、同軸に支持穴３６ｇが形成され、この支持穴３６ｇに取り付けられた軸受２４に前記連結ロッド２３が回転自在に支持されている。そして、前記ケース部３６ａ，３６ｂ，３６ｃに配置された連結ロッド２３の左右端部に、前記歯車２２がラックギア２１に噛み合った状態で固定されている。
したがって、前記連結ロッド２３の左右に設けられた一対の歯車２２，２２は、常に同期回転し、この左右一対の歯車２２，２２に噛み合って１枚の開閉扉９の左右に設けられた一対のラックギア２１，２１は歯車２２，２２の回転量に応じた量だけ前後方向に相対変位する。
すなわち、前記スライド同調機構２０は、前記開閉扉９が前後にスライドする際に、その開閉扉９の左右を常に同調して均等にスライドさせるものである。
また、前記連結ロッド２３は、前記ケース部３６ａ，３６ｂ，３６ｃの前端部において左右方向に掛け渡されているが、詳細な図示は省略するが、前記固定蓋８の前端縁部には、図４に示すようにカバー８１が全幅に亘って設けられ、このカバー８１の下方に隠されている。なお、このカバー８１には、前記連結ロッド２３の下方位置に陳列品を照らす照明８２も設けられている。
【００１６】
また、本実施の形態１にあっては、各開閉扉９は、駆動機構４０により自動的に前後に開閉スライドするもので、次に、駆動機構４０について説明する。
前記駆動機構４０は、従動スプロケット４１と駆動スプロケット４２とチェーン４３とモータ４４とを備えている。
前記従動スプロケット４１は、前記左支持枠３５ａと右支持枠３５ｂのケース部３６ａ，３６ｃの内部において、歯車２２に隣接して連結ロッド２３に固定されている。なお、図８ではケース部３６ａの内部のみを示しているが、ケース部３６ｃにおいてもこれと左右対称に設けられている。
前記駆動スプロケット４２は、図１０に示すように、前記ケース部３６ａ，３６ｃの後端部であって左右柱枠３１ａ，３１ｃの上端部に設けられている。
そして、この駆動スプロケット４２と前記従動スプロケット４１とに、チェーン４３が掛け渡されている。なお、前記ケース部３６ａ，３６ｃの中間部には、チェーン４３に張りを与えるテンショナー４５が設けられている。
また、前記モータ４４は、前記駆動スプロケット４２を回転させるもので、前記左右柱枠３１ａ，３１ｃの上端部にそれぞれ収容されている。
また、前記モータ４４を駆動させる信号を与えるスイッチとして、図２に示すように、基台１の前端上面に顧客操作用の２つのオープンスイッチ４６，４６が設けられ、かつ、図３に示すように、各後壁７，７に販売員操作用のオープン・クローズスイッチ４７が設けられている。
【００１７】
次に、実施の形態１の作動を説明する。
顧客は、陳列室２に陳列されている商品を取り出したい場合には、基台１の前端上面に設けられているオープンスイッチ４６を押す。
これにより、モータ４４が開駆動方向に回転し、駆動スプロケット４２および従動スプロケット４１が回転し、これにより連結ロッド２３が回転する。
この連結ロッド２３の回転に伴い、連結ロッド２３の左右に設けられたスライド同調機構２０を構成する歯車２２，２２が回転し、この歯車２２に噛み合うラックギア２１，２１が相対的に後方へ送られ、開閉扉９が後方スライドする。
この時、スライド同調機構２０により開閉扉９の左右に設けられたラックギア２１，２１は、それぞれ均等に同調してスライドするため、開閉扉９は、左右でがたつくことなくスムーズにスライドする。
なお、この開閉扉９の後方への開スライドは、図示を省略したリミットスイッチにより全開を検出した時点で自動的に停止される。また、この開閉扉９の後方への開スライドは、全開検出前の時点でもオープンスイッチ４６を押すのを止めたら停止するようにしてもよい。また、この開閉扉９を開く操作は、後壁７に設けられたオープン・クローズスイッチ４７をオープン操作することでも行うことができる。
【００１８】
一方、前記開閉扉９を閉じる場合には、販売員が操作を行う。
すなわち、開閉扉９を閉じる場合には、後壁７に設けられたオープン・クローズスイッチ４７をクローズ操作する。
これにより、モータ４４が閉駆動方向に回転し、駆動スプロケット４２および従動スプロケット４１が上記開時とは逆に回転し、それにより連結ロッド２３も開時とは逆に回転する。
この連結ロッド２３の回転に伴い、連結ロッド２３の左右に設けられたスライド同調機構２０を構成する歯車２２，２２が回転し、この歯車２２に噛み合うラックギア２１，２１が相対的に後方へ送られ、開閉扉９が前方スライドする。
この閉時にあっても、開閉扉９は、スライド同調機構２０により左右でがたつくことなく均等にスムーズにスライドする。
なお、この開閉扉９の前方への閉スライドは、図示を省略したリミットスイッチにより全閉を検出した時点で自動的に停止される。
また、この開閉扉９の閉方向へのスライドは、オープン・クローズスイッチ４７のクローズ操作を中止した場合、いつでも直ちに止められるようになっている。
【００１９】
以上のように、本実施の形態１のショーケースにあっては、開閉扉９は横幅が大きく、二重ガラス９１を使用して重量を有しているにも拘わらず、スライド同調機構２０を設けたことにより、左右均等にがたつくことなくスムーズにスライドするという効果を奏する。
また、実施の形態１のショーケースにあっては、陳列室２の前上部の開閉扉９と陳列室２の後壁７に設けた後扉７１とが開閉するので、開閉扉９を閉じたままで販売員が商品を手渡す対面販売と、顧客自らが陳列品を手にとって選択したり、混雑時など販売促進のために顧客自ら陳列品を出してもらったりするセルフ販売とを行うことができ、利便性に優れるという効果を奏する。
【００２０】
さらに、本実施の形態１では、スライド同調機構２０を構成するラックギア２１を、開閉扉９の二重ガラス９１を支持する側枠９２ｂの支持片９２ｄの下面に支持片９２ｄからはみ出さないように配置し、また、スライド同調機構２０を構成する歯車２２は、陳列室２の後半部を覆う固定蓋８の左右に配置された各ケース部３６ａ，３６ｂ，３６ｃに収容し、さらに、スライド同調機構２０を構成する連結ロッド２３は、固定蓋８の前端縁に設けられたカバー８１により照明８２と一緒に覆い隠した構成とした。
したがって、スライド同調機構２０は、開閉扉９および固定蓋８の透明な二重ガラス部分を遮ることなく隠されているもので、このスライド同調機構２０が顧客の視線から隠され、高い陳列演出効果を得ることができる。
すなわち、本発明は、請求項１に記載のショーケースにおいて、前記開閉扉は、陳列室を覆う二重ガラスと、この二重ガラスの左右端縁部を支持する側枠とを有し、この側枠の下方にラックギアを配置したことを特徴とするショーケース（これを第２発明とする）とすることができる。
この第２発明にあっては、開閉扉をスムーズにスライドさせるための構成であるラックギアを、全長に亘り側枠の下方に配置して側枠で隠すため、顧客の視線からラックギアを隠して、高い陳列演出効果を奏する。
さらに、本発明は、第２発明のショーケースにおいて、前記歯車を前記開閉扉の左右側縁から後方へ延在される支持枠に設けたケース部に収容し、前記連結ロッドは、前記開閉扉の後方で陳列室を覆う固定蓋の前端縁に設けたカバーで覆ったことを特徴とするショーケース（これを第３発明とする）とすることができる。この第３発明にあっては、開閉扉をスムーズにスライドさせるための構成であるラックギア、歯車、連結ロッドを顧客の視線から隠して、高い陳列演出効果を奏する。
【００２１】
加えて、実施の形態１のショーケースにあっては、連結ロッド２３に回転力を与える駆動機構４０を設け、開閉扉９を自動開閉するようにしたため、高い利便性を得ることができる。
また、本実施の形態１にあっては、開閉扉９を自動開閉させるにあたり、スライド同調機構２０の連結ロッド２３に駆動力を与える構成としたため、スライド同調機構２０を利用して、左右均等に駆動力を与えることができ、これにより、がたつくことのない左右均等なスライドによる自動開閉を達成することができるとともに、自動開閉化を容易に図ることができるという効果を奏する。
すなわち、本発明にあっては、請求項１、第２発明、第３発明のいずれかに記載のショーケースにおいて、前記連結ロッドに駆動力を入力して両歯車を回転させる駆動機構を設けたことを特徴とするショーケース（これを第４発明とする）とすることができる。
この第４発明にあっては、駆動機構を駆動させて歯車を回転させることで開閉扉を自動的に開閉させて利便性を向上させることができるとともに、この開閉自動化をスライド同調機構の構成を利用し、構成の簡略化を図りながら容易に自動化を達成できるという効果を奏する。
【００２２】
さらに、本実施の形態１にあっては、自動化を達成するにあたり、ショーケースの前部の顧客が操作できるスイッチとしてオープンスイッチ４６のみとし、開閉扉９のクローズ操作は、ショーケースの裏側のオープン・クローズスイッチ４７により販売員が行うようにした。これにより、開閉扉９を閉じる際に物が挟み込まれるのを防止する確認は、顧客が行うことなく販売員が確実に行うことで、挟み込みを防止することができる。
なお、オープンスイッチ４６に換えて、顧客が近づいたことを検出するセンサ、開閉扉９に手をかざしたり触ったりしたことを検出するセンサなどを設け、このセンサの検出で開駆動を行うようにしてもよい。
【００２３】
また、実施の形態１では、後壁７の後扉７１にマジックミラー式の二重ガラスを用いたため、顧客が陳列室２を覗いた場合に、陳列物が後扉７１で反射して後壁７よりも奥まで物品が陳列されているかのように見えるもので、奥行きのある陳列とすることが可能となり、陳列演出効果が向上して顧客の商品購買意欲が増進されるとともに、ショーケースの後方の販売員からは、後扉７１を通して陳列室２の様子を見ることができる。
【００２４】
次に、実施の形態２および実施の形態３について説明する。
なお、実施の形態２，３を説明するにあたり、実施の形態１と同様の構成には実施の形態１と同じ符号を付けて説明を省略し、実施の形態１との相違点についてのみ説明することとする。
上記実施の形態２および３のショーケースは、開閉扉を斜め上下方向に移動させるようにし、駆動機構に換えてアシスト手段を設け、顧客が開閉扉を手動により開閉するのに必要な力を軽減させるようにしたものである。
【００２５】
（実施の形態２）
まず、図１１に示す実施の形態２のショーケースについて説明する。
基台１の上面に陳列室２０２を有したケース本体２０３が設けられている点は、実施の形態１と同様である。
前記陳列室２０２は、実施の形態１に比べて上下方向寸法が大きく形成され、柱枠２３１の中間部には、中棚２０４が取り付けられている。なお、前記柱枠２３１は、実施の形態１のように、左右に複数設けられているものとする。
なお、この中棚２０４の前端部には、照明２０５が格納されている。また、柱枠２３１から前方に延びる支持枠２３５には、実施の形態１と同様に、ケース部２３６が設けられている。なお、前記支持枠２３５も、柱枠２３１と同数設けられているものとする。
また、実施の形態２にあっては、固定蓋２０８の前方に設けられている開口部２１５が斜め上下方向に形成され、開閉扉２０９を、図において実線で示すように開閉扉２０９が陳列室２０２の前面で起立した全閉位置と、図において点線で示すように陳列室２０２の後上部に寝て配置される全開位置とで、斜め上下方向に移動させて開口部２１５を開閉する構成となっている。
前記開閉扉２０９は、実施の形態１と同様に、二重ガラスを備えているが、実施の形態１に比べて、湾曲がきつい形状に形成されている。
また、図示は省略するが、実施の形態１と同様に、前記開閉扉２０９の左右端縁部と各支持枠２３５との間に、スライド支持手段１１が設けられているとともに、実施の形態１と同様のスライド同調機構２０が設けられている。
【００２６】
さらに、前記開閉扉２０９の後端部には、アシスト手段として、牽引ワイヤ２４１を介してバランスウエイト２４２が連結されている。このバランスウエイト２４２は、前記柱枠２３１内に収容され、前記開閉扉２０９を引き上げる力を十分に軽減できる重量を有している。また、前記柱枠２３１の上端部には牽引ワイヤ２４１を支持する滑車２４３が設けられている。なお、前記牽引ワイヤ２４１の摩擦抵抗を低減させるために支持枠２３６の途中にも滑車を追加してもよい。
【００２７】
したがって、実施の形態２のショーケースにあっては、顧客が手動で開閉扉２０９を開閉するが、バランスウエイト２４２を設けているため、二重ガラスを使用した重量の重い開閉扉２０９であっても、軽い力で開閉することができる。
また、この実施の形態２にあっても、実施の形態１と同様に、スライド同調機構２０を設けているため、開閉扉２０９は、がたつくことなく左右均等にスムーズにスライドする。
【００２８】
（実施の形態３）
図１２に示す実施の形態３のショーケースについて説明する。
この実施の形態３のショーケースは、実施の形態２の変形例であり、その基本的な構成は実施の形態２と同様であり、開閉扉２０９を手動で上下にスライドさせるよう構成され、前記開閉扉２０９とケース本体２０３との間には、実施の形態１で示したスライド支持手段１１ならびにスライド同調機構２０が設けられている。
この実施の形態３では、アシスト手段として、アシストスプリング３４１が設けられている。このアシストスプリング３４１は、一端が連結ロッド２３に取り付けられているとともに他端が支持枠２３５に取り付けられているもので、例えば、図８に示すケース部３６ｂにおいて、両歯車２２と両側板３６ｄとの間にコンパクトに収容することができる。
また、前記アシストスプリング３４１は、連結ロッド２３が支持枠２３５に対して相対回転することで巻き量が変化するもので、このアシストスプリング３４１は、図示の開閉扉全閉状態において、最も巻き締められて連結ロッド２３を開時の回転方向に回転付勢する構成となっている。
【００２９】
したがって、実施の形態３のショーケースにあっては、顧客が手動で開閉扉２０９を開閉するが、開閉扉を上方に開スライドさせる際には、アシストスプリング３４１の付勢力で軽い力でスライドさせることができる。このアシスト力は、開閉扉２０９が上方に移動するに連れて軽くなるが、この実施の形態３では、開閉扉２０９が上方に移動すると次第に寝た姿勢に変化して、閉スライド方向に作用する重量が小さくなるため、アシスト力が変化しても必要な操作力が重くなることはない。
逆に、開閉扉２０９を閉じる際には、開閉扉２０９が全閉位置に近づくに連れてアシストスプリング３４１の巻き量が多くなって、開方向への付勢力が次第に大きくなる。よって、全閉時に開閉扉２０９と基台１に大きな衝撃が発生しないようにできる。
以上のように実施の形態３のショーケースにあっては、アシストスプリング３４１を設けているため、二重ガラスを使用した重量の重い開閉扉であっても、軽い力で開閉することができる。
また、アシストスプリング３４１は、ケース部３６ｂの内部などに、顧客から見えないようにコンパクトに収めることができ、設置が容易であるという効果、ならびに、カバーなどを新たに設置することなく安価に顧客から隠して外観品質を高めることができるという効果を奏する。
また、この実施の形態３にあっても、実施の形態１と同様に、スライド同調機構２０を設けているため、がたつくことなく左右均等にスムーズにスライドする。
【００３０】
以上、本発明の実施の形態を図面に基づき説明してきたが、具体的な構成については、この実施の形態に限られるものではなく、特許請求の範囲の各請求項に係る発明の要旨を逸脱しない限り、設計の変更や追加等は許容される。
例えば、実施の形態１〜３では、開閉扉として二重ガラスを有した透明なものを示したが、二重ガラス以外の透明および不透明な部材により構成されたものを適用してもよい。
また、実施の形態１では、開閉扉９が前後方向にスライドするものを、実施の形態２，３では、開閉扉２０９が斜め上下方向にスライドするものを示したが、開閉扉が上下にスライドするものにも適用することができる。
【図面の簡単な説明】
【図１】実施の形態１のショーケースを示す正面図である。
【図２】実施の形態１のショーケースを示す平面図である。
【図３】実施の形態１のショーケースを示す背面図である。
【図４】実施の形態１のショーケースを示す側方から見た縦断面図である。
【図５】実施の形態１のショーケースの枠体を示す斜視図である。
【図６】実施の形態１のショーケースの枠体の要部を示す斜視図である。
【図７】実施の形態１のショーケースの開閉扉を示す側面図である。
【図８】実施の形態１のショーケースのスライド同調機構を示す正面から見た縦断面図である。
【図９】実施の形態１のショーケースのスライド支持手段を示す正面から見た縦断面図である。
【図１０】実施の形態１のショーケースの駆動機構を示す側方から見た縦断面である。
【図１１】実施の形態２のショーケースを示す側方から見た縦断面図である。
【図１２】実施の形態３のショーケースを示す側方から見た縦断面図である。
【符号の説明】
１    基台
２    陳列室
３    ケース本体
４    前壁
５    左側壁
６    右側壁
７    後壁
８    固定蓋
９    開閉扉
１０    棚板
１１    スライド支持手段
１２    レールフレーム
１２ｃ    切欠部
１３    スライダ
１３ａ    ケース
１３ｂ    上側ローラ
１３ｃ    下側ローラ
１４    後側ローラ
１４ｂ    ブラケット
１４ｃ    支持片
１５    上側開口部
２０    スライド同調機構
２１    ラックギア
２１ａ    支持ケース
２２    歯車
２３    連結ロッド
２４    軸受
３０    枠体
３１ａ    左柱枠
３１ｂ    中央柱枠
３１ｃ    右柱枠
３２    上枠
３３ａ，３３ｂ    後下段枠
３４    下枠
３５ａ    左支持枠
３５ｂ    中央支持枠
３５ｃ    右支持枠
３６ａ，３６ｂ，３６ｃ    ケース部
３６ｄ    側板
３６ｆ    下面カバー
３６ｇ    支持穴
３７ａ，３７ｂ    前側ケース連結枠
３８ａ，３８ｂ    後側ケース連結枠
４０    駆動機構
４１    従動スプロケット
４２    駆動スプロケット
４３    チェーン
４４    モータ
４５    テンショナー
４６    オープンスイッチ
４７    オープン・クローズスイッチ
７１    後扉
８１    カバー
８２    照明
９１    二重ガラス
９２    枠体
９２ａ    後枠
９２ｂ    側枠
９２ｃ    縦枠
９２ｄ    支持片
９３    パッキン
２０２    陳列室
２０３    ケース本体
２０４    中棚
２０５    照明
２０８    固定蓋
２０９    開閉扉
２１５    開口部
２３１    柱枠
２３５    支持枠
２３６    ケース部
２３６    支持枠
２４１    牽引ワイヤ
２４２    バランスウエイト
２４３    滑車
３４１    アシストスプリング
【図１】
2005027812.tif 000003
【図２】
2005027812.tif 000004
【図３】
2005027812.tif 000005
【図４】
2005027812.tif 000006
【図５】
2005027812.tif 000007
【図６】
2005027812.tif 000008
【図７】
2005027812.tif 000009
【図８】
2005027812.tif 000010
【図９】
2005027812.tif 000011
【図１０】
2005027812.tif 000012
【図１１】
2005027812.tif 000013
【図１２】
2005027812.tif 000014